(57)【要約】【課題】光ディスクからデータを再生し得なくなる危険性を格段に低減できるようにする。【解決手段】光ディスク装置２の制御部１１は、光ディスク１００から読み出したデータＤＴにエラーが生じていればエラー訂正処理を行い、光ディスク１００が「安心ディスク」であった場合、必要に応じてパリティ復元処理を行うことにより当該エラーの訂正を試み、さらにパリティ復元処理によりデータＤＴを生成した場合、光ディスク１００の複製の作成をユーザに促し、当該ユーザの指示に応じて複製ディスク１００Ｂを作成することにより、光ディスク１００の再生時にエラーが生じる場合であっても、エラー訂正処理又はセクタ復元処理により当該エラーを訂正可能なうちに、当該光ディスク１００の複製として複製ディスク１００Ｂを作成することができる。【選択図】図７
2009289319.tif 000002
【特許請求の範囲】
【請求項１】
光ディスクからデータを読み出すデータ読出部と、
上記データにエラーが含まれているか否かを検出し、当該エラーが訂正可能であった場合、当該エラーを訂正することにより復元データを生成する訂正処理部と、
上記光ディスクから読み出したデータのうち上記エラーが含まれていたデータを上記復元データに置き換えて他の光ディスクに記録するディスク複製処理を行う複製処理部と
を有する光ディスク装置。
【請求項２】
上記光ディスクは、
所定のブロックごとにデータが記録される記録領域が２以上の分割領域に分割され、その一部がデータ領域とされると共にその残りが冗長領域とされ、
当該光ディスクに記録すべき記録データが上記データ領域の各分割領域にそれぞれ割り当てられ、
上記データ領域の上記ブロックと対応する上記冗長領域の上記ブロックに、上記データ領域とされた上記分割領域の間で互いに対応する上記ブロックごとに生成された上記記録データを復元するための冗長データが記録されており、
上記訂正処理部は、
上記記録データ及び上記冗長データを基に上記エラーを訂正する
請求項１に記載の光ディスク装置。
【請求項３】
上記光ディスクは、
上記記録領域が３以上の分割領域に分割されると共に１の分割領域が上記冗長領域とされ、
上記冗長領域は、
上記データ領域とされた上記分割領域の間における互いに対応する上記ブロックごとに算出された上記記録データ同士の排他的論理和が上記冗長データとして記録され、
上記訂正処理部は、
上記エラーが含まれていなかった上記記録データ及び上記冗長データの排他的論理和を基に上記復元データを生成する
請求項２に記載の光ディスク装置。
【請求項４】
上記訂正処理部は、
上記データに上記エラーが含まれていた場合、上記データに付加されている冗長符号を用いたエラー訂正処理を行い、当該エラー訂正処理により上記エラーを訂正し得なかった場合に上記記録データ及び上記冗長データの排他的論理和を基に上記復元データを生成する
請求項３に記載の光ディスク装置。
【請求項５】
上記複製処理部は、
上記訂正処理部において上記訂正処理では上記エラーを訂正し得ず、且つ上記記録データ及び上記冗長データの排他的論理和を基に上記復元データを生成し得た場合に上記ディスク複製処理を行う
請求項４に記載の光ディスク装置。
【請求項６】
上記光ディスクは、
所定数の上記ブロックごとに冗長符号が付加され、
上記訂正処理部は、
上記データを表すデータ符号及び上記冗長符号を基に上記データにエラーが含まれているか否かを検出する
請求項２に記載の光ディスク装置。
【請求項７】
上記光ディスクは、
所定のブロックごとにデータが記録されると共に、所定数の当該ブロックごとに冗長データが付加され、
上記訂正処理部は、
上記データを表すデータ符号及び上記冗長符号を基に、上記データにエラーが含まれているか否かを検出すると共に上記復元データを生成する
請求項１に記載の光ディスク装置。
【請求項８】
上記複製処理部は、
上記訂正処理部により上記エラーが訂正不可能であった場合、上記ディスク複製処理を行わない
請求項１に記載の光ディスク装置。
【請求項９】
上記エラーが訂正可能であった場合、上記光ディスクの複製処理を行うか否かをユーザに確認する確認処理部
をさらに有し、
上記複製処理部は、
上記ユーザから上記光ディスクの複製処理を行う旨の指示を受け付けた場合、上記ディスク複製処理を行う
請求項１に記載の光ディスク装置。
【請求項１０】
所定のデータ読出部により光ディスクからデータを読み出すデータ読出ステップと、
所定の訂正処理部により、上記データにエラーが含まれているか否かを検出し、当該エラーが訂正可能であった場合、当該エラーを訂正することにより復元データを生成する訂正ステップと、
所定の複製処理部により、上記光ディスクから読み出したデータのうち上記エラーが含まれていたデータを上記復元データに置き換えて他の光ディスクに記録するディスク複製処理を行う複製ステップと
を有する光ディスク複製方法。
【請求項１１】
光ディスクにデータを記録すると共に当該光ディスクから当該データを読み出す光ディスク装置を制御することにより、当該光ディスクから当該データを読み出させる読出制御部と、
上記データにエラーが含まれているか否かを検出し、当該エラーが訂正可能であった場合、当該エラーを訂正することにより復元データを生成する訂正処理部と、
上記光ディスクから読み出したデータのうち上記エラーが含まれていたデータを上記復元データに置き換え、上記光ディスク装置により他の光ディスクに記録させるディスク複製処理を行わせる複製制御部と
を有する光ディスク複製制御装置。
【請求項１２】
上記訂正処理部は、
上記エラーの一部又は全ての訂正を上記光ディスク装置に行わせる
請求項１１に記載の光ディスク複製制御装置。
【請求項１３】
光ディスクにデータを記録すると共に当該光ディスクから当該データを読み出す光ディスク装置を所定の読出制御部によって制御することにより、当該光ディスクから当該データを読み出させる読出制御ステップと、
所定の訂正処理部により、上記データにエラーが含まれているか否かを検出し、当該エラーが訂正可能であった場合、当該エラーを訂正することにより復元データを生成する訂正ステップと、
所定の複製制御部により、上記光ディスクから読み出したデータのうち上記エラーが含まれていたデータを上記復元データに置き換え、上記光ディスク装置により他の光ディスクに記録させるディスク複製処理を行わせる複製制御ステップと
を有する光ディスク複製制御方法。
【請求項１４】
情報処理装置に対して
光ディスクにデータを記録すると共に当該光ディスクから当該データを読み出す光ディスク装置を上記情報処理装置の読出制御部によって制御することにより、当該光ディスクから当該データを読み出させる読出制御ステップと、
上記情報処理装置の訂正処理部により、上記データにエラーが含まれているか否かを検出し、当該エラーが訂正可能であった場合、当該エラーを訂正することにより復元データを生成する訂正ステップと、
上記情報処理装置の複製制御部により、上記光ディスクから読み出したデータのうち上記エラーが含まれていたデータを上記復元データに置き換え、上記光ディスク装置により他の光ディスクに記録させるディスク複製処理を行わせる複製制御ステップと
を実行させる光ディスク複製制御プログラム。
【発明の詳細な説明】
【技術分野】
【０００１】
本発明は光ディスク装置及び光ディスク複製方法、並びに光ディスク複製制御装置、光ディスク複製方法及び光ディスク複製制御プログラムに関し、例えば光ディスクに記録された映像を再生する光ディスク装置に適用して好適なものである。
【背景技術】
【０００２】
従来、光ディスク装置においては、ＣＤ（Compact Disc）やＤＶＤ（Digital Versatile Disc）、或いはＢＤ（Blu-ray Disc、登録商標）等の光ディスクに対し、音楽データや映像データ、或いはコンピュータ等で利用される種々のデータを記録し、また再生し得るようになされたものが広く普及している。
【０００３】
また光ディスク装置のなかには、複数の記録層を有する光ディスクに対し、複数台のハードディスクドライブにより構成するＲＡＩＤ（Redundant Arrays of Inexpensive Disks）と同様データを分散してデータを記録し、また再生するようになされたものが提案されている（例えば、特許文献１参照）。
【０００４】
この光ディスク装置では、各記録層をＲＡＩＤにおける１台のハードディスクドライブと同様に扱い、各記録層のうち光ディスクの厚さ方向に同一となる箇所に対して、データ及び冗長性を持たせた情報信号（以下、これを冗長情報と呼ぶ）を記録し、また再生するようになされている。
【０００５】
これによりこの光ディスク装置は、情報の記録速度及び再生速度、すなわちデータ転送速度を向上させると共に冗長性を高めることができる。
【特許文献１】特開２００４−３４２２０４公報（第１０図）
【発明の開示】
【発明が解決しようとする課題】
【０００６】
ところで光ディスク装置では、一般に、ユーザにより所望の光ディスクに交換された上で、各種データ等の記録又は再生を行うことを前提としている。このため光ディスクは、実際にユーザに取り扱われる際に、その表面に傷が付き、或いは埃等の異物が付着する可能性がある。以下、このような状態を「ディフェクトを有する」と呼ぶ。
【０００７】
上述した光ディスク装置は、ディフェクトによりデータの一部を読み出し得ない等の理由によりエラーが発生したとしても、当該エラーが発生したデータに対応する冗長情報を読み出すことができれば、所定のエラー訂正処理等を行うことにより、正しいデータを再生することができる。
【０００８】
この冗長情報は、従来の方式においては、まずセクタ等と呼ばれる単位量のデータごとに計算される。またデータ及び当該データに対応する冗長情報は、アドレス等により番地付けされた記録領域内の小さな領域（例えばセクタ等）、及び又は上述した特許文献１で提案されるような複数の記録層における互いに相違した領域に記録される。
【０００９】
しかしながら光ディスクにおいては、情報の記録が行われた後であっても、ユーザが取り扱ううちにディフェクトが増加する可能性がある。特に、光ディスク媒体をカートリッジに収納しない方式の光ディスク（例えばＣＤやＤＶＤ等）は、ユーザにより埃や汚れのある場所に放置されることにより、または光学的な情報の読み書きを行う記録面側の表面がユーザの手で触れられることにより、容易にディフェクトが増加してしまう。
【００１０】
光ディスク装置は、このようにディフェクトが増加すると、光ディスクのデータ及び当該データと対応する冗長情報の双方を読み出し得なくなる場合や、冗長情報により復元可能な程度を越えた範囲でエラーが発生する場合がある。
【００１１】
特に、上述した小さな領域（例えばセクタ等）にデータ及び当該データに対応する冗長情報が記録されている場合、その記録位置は半径方向及び又は回転方向に関して狭い範囲に限定されるので、当該小さな領域を覆うような形状でディフェクトが発生する可能性も考えられる。
【００１２】
このような場合、光ディスク装置は、エラー訂正処理を行ったとしてもデータを復元することができず、光ディスクからデータを再生し得ないという問題があった。
【００１３】
本発明は以上の点を考慮してなされたもので、光ディスクからデータを再生し得なくなる危険性を格段に低減し得る光ディスク装置及び光ディスク複製方法、並びに光ディスク複製制御装置、光ディスク複製制御方法及び光ディスク複製制御プログラムを提案しようとするものである。
【課題を解決するための手段】
【００１４】
かかる課題を解決するため本発明の光ディスク装置及び光ディスク複製方法においては、所定のデータ読出部により光ディスクからデータを読み出し、所定の訂正処理部により、データにエラーが含まれているか否かを検出し、当該エラーが訂正可能であった場合、当該エラーを訂正することにより復元データを生成し、所定の複製処理部により、光ディスクから読み出したデータのうちエラーが含まれていたデータを復元データに置き換えて他の光ディスクに記録するディスク複製処理を行うようにした。
【００１５】
これにより、光ディスクから読み出したデータにエラーが生じた場合に、ディフェクトの増加等によりエラーが増加してデータを再生し得なくなる前に、ディスク複製処理を行い複製ディスクを作成しておくことができる。
【００１６】
また本発明の光ディスク複製制御装置、光ディスク複製方法及び光ディスク複製プログラムにおいては、光ディスクにデータを記録すると共に当該光ディスクから当該データを読み出す光ディスク装置を所定の読出制御部によって制御することにより、当該光ディスクから当該データを読み出させ、所定の訂正処理部により、データにエラーが含まれているか否かを検出し、当該エラーが訂正可能であった場合、当該エラーを訂正することにより復元データを生成し、所定の複製制御部により、光ディスクから読み出したデータのうちエラーが含まれていたデータを復元データに置き換え、光ディスク装置により他の光ディスクに記録させるディスク複製処理を行わせるようにした。
【００１７】
これにより、光ディスク装置により光ディスクから読み出させたデータにエラーが生じた場合に、ディフェクトの増加等によりエラーが増加してデータを再生し得なくなる前に、ディスク複製処理を行わせて複製ディスクを作成させることができる。
【発明の効果】
【００１８】
本発明によれば、光ディスクから読み出したデータにエラーが生じている場合に、ディフェクトの増加等によりエラーが増加してデータを再生し得なくなる前に、ディスク複製処理を行い複製ディスクを作成しておくことができ、かくして光ディスクからデータを再生し得なくなる危険性を格段に低減し得る光ディスク装置及び光ディスク複製方法を実現できる。
【００１９】
また本発明によれば、光ディスク装置により光ディスクから読み出させたデータにエラーが生じた場合に、ディフェクトの増加等によりエラーが増加してデータを再生し得なくなる前に、ディスク複製処理を行わせて複製ディスクを作成させることができ、かくして光ディスクからデータを再生し得なくなる危険性を格段に低減し得る光ディスク複製制御装置、光ディスク複製方法及び光ディスク複製プログラムを実現できる。
【発明を実施するための最良の形態】
【００２０】
以下、図面について、本発明の一実施の形態を詳述する。
【００２１】
（１）第１の実施の形態
（１−１）光ディスク再生システム構成
図１に示すように、光ディスク再生システム１は、光ディスク１００を再生する光ディスク装置２と、映像を表示する表示装置４とが接続ケーブル３を介して接続された構成を有している。
【００２２】
光ディスク１００は、例えばＤＶＤメディアでなり、映像や音声等が符号化されデータとして記録されている。光ディスク装置２は、ユーザの操作を受け付ける操作部２Ｃや各種情報を表示する表示部２Ｄを有しており、また内部に光ピックアップ等の光学部品や制御部等の電子回路が組み込まれている。
【００２３】
光ディスク装置２は、操作部２Ｃに対するユーザの操作等に応じて光ディスク１００からデータを読み出し、復号化処理等を行うことにより映像信号ＳＶを再生し、接続ケーブル３を介して当該映像信号ＳＶを表示装置４へ送出する。表示装置４は、映像信号ＳＶに基づいた映像を表示画面４Ｄに表示する。
【００２４】
かくして光ディスク再生システム１は、光ディスク１００に記録されている映像等を再生してユーザに視聴させるようになされている。
【００２５】
（１−２）光ディスクの構成
光ディスク１００は、ＤＶＤ方式の規格に準拠しており、図２に示すように直径約１２０［ｍｍ］の円盤状に構成されている。光ディスク１００は、直径約１５［ｍｍ］でなる中心孔１００Ｈを有しており、光ディスク装置１（図１）において保持部５Ａにより当該中心孔１００Ｈを介してスピンドルモータ５の出力軸に固定されるようになされている。
【００２６】
光ディスク１００は、図中に斜線で示すような、仮想的な中心１００Ｃから約２４〜５８［ｍｍ］となる領域（以下、これを記録領域Ｒと呼ぶ）にデータが記録され、また当該記録領域Ｒからデータが再生されるようになされている。記録領域Ｒには、螺旋状にトラックが形成されており、当該トラック同士の間隔（いわゆるトラックピッチ）が約０．７４［μｍ］となるように構成されている。
【００２７】
記録領域Ｒには、管理用のデータ等以外の本来記録すべきデータ（いわゆるユーザデータ）が記録されるようになされている。ユーザデータは、記録領域Ｒに記録される際、３２７６８バイトごとにエラー訂正符号の算出及びインターリーブ処理が施され、さらに２０４８バイトごとにセクタＳＣに分割されるようになされており、各セクタＳＣに割り当てられたセクタ番号により管理されるようになされている。
【００２８】
光ディスク１００に記録されているユーザデータは、予めセクタＳＣごとにパリティ符号等の冗長な符号（以下これを冗長符号と呼ぶ）が付加されている。この冗長符号は、セクタＳＣ内で所定数以下の符号（具体的にはビットやバイト等）にエラーが生じた場合に、当該エラーが発生したことの検出や当該エラーが生じた符号の訂正に利用し得るよう予め算出されたものである。
【００２９】
ところで記録領域Ｒは、最内周にある先頭セクタＳＣｓに０ｘ３００００番地（１６進表記、以下同じ）が割り当てられ、最外周にある末尾セクタＳＣｅに０ｘ２５ＦＤＢＦ番地が割り当てられている。因みに、先頭セクタＳＣｓから末尾セクタＳＣｅまでは、１０進数で２２９３１８４個のセクタＳＣが存在することになり、１セクタの容量が２０４８バイトであるため、光ディスク１００全体としては、２２９３１８４×２０４８＝４６９６４４０８３２バイト、すなわち約４．７ギガバイトの容量となる。
【００３０】
さらに第１の実施の形態では、図２と対応する図３に示すように、光ディスク１００の記録領域Ｒが第１記録領域Ｒ１、第２記録領域Ｒ２、第３記録領域Ｒ３及び第４記録領域Ｒ４に４分割されている。
【００３１】
第１記録領域Ｒ１〜第４記録領域Ｒ４は、それぞれの記録容量が等しくなるように分割されており、当該第１記録領域Ｒ１及び当該第２記録領域Ｒ２の境界部分は光ディスク１００の中心１００Ｃから約３５．７［ｍｍ］となっている。また第２記録領域Ｒ２及び当該第３記録領域Ｒ３の境界部分は光ディスク１００の中心１００Ｃから約４４．４［ｍｍ］となり、当該第３記録領域Ｒ３及び当該第４記録領域Ｒ４の境界部分は光ディスク１００の中心１００Ｃから約５１．６［ｍｍ］となっている。
【００３２】
さらに第１記録領域Ｒ１、第２記録領域Ｒ２及び第３記録領域Ｒ３（以下、これをユーザデータ領域と呼ぶ）には、ユーザデータが記録されるようになされており、また第４記録領域Ｒ４（以下、これをパリティデータ領域と呼ぶ）には、第１記録領域Ｒ１、第２記録領域Ｒ２及び第３記録領域Ｒ３に記録されたユーザデータを基に生成したパリティデータが記録されるようになされている。
【００３３】
すなわち記録領域Ｒ内の任意のセクタＳＣに記録されたユーザデータには、セクタＳＣごとに、当該セクタＳＣ内部に付加されたパリティ符号等の冗長な符号が記録される。これに加えて当該ユーザデータは、セクタＳＣごとに、第ｍ記録領域Ｒｍと異なる第ｎ記録領域Ｒｎ（例えば第１記録領域Ｒ１に対し第４記録領域Ｒ４）にも、当該ユーザデータが反映された冗長な情報が記録される。
【００３４】
以下では、このようにユーザデータが領域分割されてその一部にパリティデータが記録された光ディスクを「安心ディスク」と呼ぶ。
【００３５】
（１−３）光ディスク装置の構成
光ディスク装置２は、図４に示すように、光ディスク１００に対して光ビームを照射し、トラッキング制御及びフォーカス制御を行った上で、映像等の再生を行うようになされている。
【００３６】
光ディスク装置２は、制御部１１により全体を統括制御するようになされている。制御部１１は、内部にＣＰＵ（Central Processing Unit）２１を有している。また光ディスク装置２では、バス２２を介してＣＰＵ２１、ＲＯＭ（Read Only Memory）２３、ＲＡＭ（Random Access Memory）２４及びインタフェース（I/F）２５が互いに接続されている。
【００３７】
制御部１１のＣＰＵ２１は、ＲＯＭ２３から基本プログラムや光ディスク再生プログラム、或いはディスク複製プログラム等の各種プログラムを読み出し、これらをＲＡＭ２４に展開することにより、再生処理等の各種処理を実行し、またインタフェース２５を介して外部機器（図示せず）等との間で各種データ等の通信処理を行い得るようになされている。
【００３８】
例えば制御部１１は、ユーザの操作により操作部２Ｃ（図１）を介した記録指示を受け付けると共に、図示しない外部機器から映像信号ＳＶの供給を受けると、当該映像信号ＳＶに応じたデータＤＴを光ディスク１００に記録する記録処理を開始する。
【００３９】
具体的に制御部１１は、駆動命令を駆動部１２へ供給すると共に、映像信号ＳＶを信号処理部１３へ供給する。また制御部１１は、光ディスク１００における記録すべきセクタＳＣのアドレスとして記録アドレス情報を生成し、これを駆動部１２及び信号処理部１３等へ供給する。
【００４０】
因みに制御部１１は、記録アドレス情報として、最初は光ディスク１００における開始アドレス（例えば「０ｘ３００００」等）を指定し、以降これを順次インクリメントしていく。
【００４１】
駆動部１２（図４）は、制御部１１から供給される駆動命令に従ってスピンドルモータ１５を駆動制御することにより、ターンテーブル１５Ａに装着された光ディスク１００を所定の回転速度で回転させる。
【００４２】
また駆動部１２は、スレッドモータ１６を駆動制御することにより、光ピックアップ１７を移動軸に沿って光ディスク１００の径方向（すなわち内周方向又は外周方向）における記録アドレス情報に対応した位置へ移動させる。
【００４３】
信号処理部１３は、まず映像信号ＳＶに対し所定の符号化処理及び変調処理等を施すことにより、符号「０」又は「１」の組み合わせでなる記録用のデータＤＴを生成する。
【００４４】
次に信号処理部１３は、データＤＴに所定のパリティ演算処理等を施すことよりエラー訂正用の冗長符号を生成し、データＤＴを表すデータ符号に当該冗長符号を付加する。さらに信号処理部１３は、当該データ符号及び当該冗長符号が３２７６８バイトとなるごとにエラー訂正用のブロック冗長符号を生成し、これを当該符号に付加することにより記録用符号列ＣＲを生成して、これを光ピックアップ１７へ順次供給する。
【００４５】
記憶部１４は、例えばハードディスクドライブやフラッシュメモリ、あるいは揮発性メモリ等でなり、各種データを蓄積し得るようになされている。制御部１１及び信号処理部１３は、各種データを一時的に記憶させるバッファとして当該記憶部１４を利用し得るようにもなされている。
【００４６】
光ピックアップ１７は、内部のレーザダイオード（図示せず）からデータＤＴに応じて光ビームの強度を変調させながら出射し、対物レンズ１８により当該光ビームを集光して光ディスク１００に照射する。
【００４７】
このとき光ピックアップ１７は、駆動部１２の制御に基づいて対物レンズ１８のフォーカス制御及びトラッキング制御を行うことにより、光ディスク１００の記録層に形成されているトラックＴのうち記録アドレス情報により指示されたトラックＴに光ビームの照射位置を追従させる。
【００４８】
かくして光ディスク１００は、記録アドレス情報が示すセクタＳＣに、冗長符号が付加された状態でデータＤＴが順次記録されていく。
【００４９】
因みに制御部１１は、映像信号ＳＶ以外に限らず、外部から供給される種々のデータＤＴを信号処理部１３へ供給することにより、当該データＤＴを光ディスク１００に記録し得るようにもなされている。
【００５０】
また制御部１１は、光ディスク１００が装填された状態で、ユーザの操作により操作部２Ｃを介した再生指示を受け付けると、光ディスク１００を再生する再生処理を開始する。
【００５１】
制御部１１は、駆動命令及び再生アドレス情報を駆動部１２へ供給する。因みに制御部１１は、再生アドレス情報として、記録アドレス情報と同様、最初は光ディスク１００における開始アドレス（例えば「０ｘ３００００」等）を指定し、以降これを順次インクリメントしていく。
【００５２】
駆動部１２は、駆動命令に従ってスピンドルモータ１５を駆動制御して光ディスク１００を所定の回転速度で回転させ、スレッドモータ１６を駆動制御して光ピックアップ１７を再生アドレス情報に対応した位置へ移動させる。
【００５３】
光ピックアップ１７は、内部のレーザダイオードから光ビームを所定の強度で出射させ、対物レンズ１８のフォーカス制御及びトラッキング制御を行いながら当該対物レンズ１８により当該光ビームを集光し、光ディスク１００に照射する。
【００５４】
また光ピックアップ１７は、光ディスク１００の記録層により光ビームが反射されてなる反射光ビームを検出し、その光量に応じた検出信号を信号処理部１３へ供給するようになされている。
【００５５】
信号処理部１３は、供給された検出信号に対して所定の復調処理を施すことにより、データ符号に冗長符号が付加された符号列を生成する。また信号処理部１３は、当該符号列に対し所定の復号化処理を施すと共に必要に応じてエラー訂正処理を行うことにより映像等を表すデータＤＴを生成し、これに復号化処理等を施すことにより映像データＤＶを生成して、これを制御部１１へ供給する。
【００５６】
このとき信号処理部１３は、エラーが生じていたか否か、及び当該エラーを訂正できたか否かを表すエラー情報ＥＲを映像データＤＶと共に制御部１１へ供給する。
【００５７】
制御部１１は、この映像データＤＶを表示処理部１９へ送出する。表示処理部１９は、映像データＤＶを映像信号ＳＶに変換し、これを表示装置４へ送出するようになされている。
【００５８】
このように光ディスク装置２は、光ディスク１００に対し種々のデータＤＴを記録する記録処理を行うと共に、当該光ディスク１００からデータＤＴを読み出して映像信号ＳＶを再生する再生処理を行い得るようになされている。
【００５９】
（１−４）光ディスクの記録及び再生
（１−４−１）光ディスクの記録
光ディスク装置２は、ユーザから操作部２Ｃを介した録画指示を受け付けると、上述したように、外部機器から供給される映像信号ＳＶを光ディスク１００にデータＤＴとして記録するようになされている。
【００６０】
特に光ディスク装置２は、光ディスク１００を「安心ディスク」とする場合、事前準備としてデータＤＴを光ディスク１００におけるユーザデータ領域の各セクタＳＣに割り当てる。さらに光ディスク装置２は、当該ユーザデータ領域において互いに対応するセクタＳＣに割り当てたデータＤＴ（すなわちユーザデータ）の排他的論理和を算出し、これをパリティデータ領域における対応するセクタＳＣのパリティデータとして割り当てるようになされている。
【００６１】
具体的に制御部１１は、図５に示すように、各セクタＳＣのアドレス順に第１記録領域Ｒ１の各セクタＳＣ、第２記録領域Ｒ２の各セクタＳＣ、第３記録領域Ｒ３の各セクタＳＣ及び第４記録領域Ｒ４の各セクタＳＣを対応付けている。
【００６２】
また制御部１１は、第１記録領域Ｒ１〜第４記録領域Ｒ４における各セクタＳＣのアドレスの対応関係をテーブル化したセクタ対応テーブルＴＳを制御部１１のＲＯＭ２３に格納している。
【００６３】
制御部１１は、互いに対応する第１記録領域Ｒ１〜第３記録領域Ｒ３のセクタＳＣに記録するユーザデータの排他的論理和（図中、演算記号「＄」で示す）を１バイトごとに算出することによりパリティデータを生成し、これを第４記録領域Ｒ４の対応するセクタＳＣに記録するようになされている。
【００６４】
例えば制御部１１は、第１記録領域Ｒ１の０ｘ３００００番地におけるセクタＳＣのユーザデータ、第２記録領域Ｒ２の０ｘＢＢＦ７０番地におけるセクタＳＣのユーザデータ及び第３記録領域Ｒ３の０ｘ１４７ＥＥ０番地におけるセクタＳＣのユーザデータの排他的論理和をバイト単位で算出する。
【００６５】
続いて制御部１１は、当該排他的論理和の算出結果を第４記録領域Ｒ４の０ｘ１Ｄ３Ｅ５０番地におけるセクタＳＣのパリティデータとし、第１記録領域Ｒ１〜第４記録領域Ｒ４の各データを記録イメージとして記憶部１４に記憶する。
【００６６】
制御部１１は、第１記録領域Ｒ１〜第３記録領域Ｒ３の全てのセクタＳＣについてパリティデータの算出を行うことにより記録イメージの作成を完了すると、当該記録イメージの各データを信号処理部１３へ順次供給することにより、各データを第１記録領域Ｒ１の先頭セクタＳＣｓ（図２）から順次記録させていく。
【００６７】
この結果、光ディスク装置２は、第１記録領域Ｒ１〜第３記録領域Ｒ３にユーザデータを記録すると共に第４記録領域Ｒ４に互いに対応するセクタＳＣごとのパリティデータを記録した「安心ディスク」を作成することができる。
【００６８】
（１−４−２）光ディスクの再生及び複製ディスクの作成
光ディスク装置２は、ユーザから操作部２Ｃを介した再生指示を受け付けると、上述したように、光ディスク１００からユーザデータを読み出して映像信号ＳＶを生成し、これを表示装置４へ順次供給する。
【００６９】
特に光ディスク装置２は、光ディスク１００が「安心ディスク」であった場合、上述した再生処理を行うと共に、第４記録領域のパリティデータを用いたエラー訂正処理を行うようにもなされている。
【００７０】
具体的に制御部１１は、通常の光ディスク１００を再生する場合と同様、再生アドレス情報を「０ｘ３００００」から開始することにより、ユーザデータを先頭セクタＳＣｓ（図２）から、すなわち第１記録領域Ｒ１の０ｘ３００００番地から順次読み出す。
【００７１】
このとき制御部１１は、エラー訂正処理として、データ符号に付加されている冗長符号及び３２７６８バイトごとに記録されているブロック冗長符号を基に、全てのユーザデータについて所定のエラー訂正処理を行い、エラーの有無を判定すると共に訂正可能なエラーについては訂正を行う。
【００７２】
しかしながら制御部１１は、データ符号に対する冗長符号の数やパリティ演算処理の原理等の要因により、所定数以上の符号にエラーが生じた場合、当該エラーを訂正することができない。
【００７３】
特にエラー訂正処理を行うための冗長符号は、ユーザデータと一緒に当該セクタＳＣ内部又は当該セクタＳＣの近傍に記録されており、光ディスクの記録層上における物理的な距離が近い（例えば、記録半径位置がほぼ同等となる）ことがある。
【００７４】
このため制御部１１は、セクタＳＣごとにデータを再生する場合、ディフェクトの状態によっては、エラーが生じていることを検出できたとしても、当該エラーを訂正することができない場合がある。
【００７５】
そこで制御部１１は、信号処理部１３から供給されるエラー情報ＥＲを基に、エラー訂正処理によりエラーを訂正しきれなかったデータ（以下、これを訂正不可エラーデータと呼ぶ）があるか否かを判定する。
【００７６】
制御部１１は、訂正不可エラーデータがある場合、当該訂正不可エラーデータが記録されているセクタＳＣ（以下、これをエラーセクタＳＣｒと呼ぶ）のアドレスを認識し、エラーセクタＳＣｒと対応付けられている他の分割記録領域のセクタＳＣ（すなわち対応セクタ）からユーザデータ及びパリティデータ（以下、これらを対応正常データと呼ぶ）を読み出す。
【００７７】
例えば制御部１１は、あるセクタＳＣを再生した時に、アドレス情報までは得られたもののエラーが所定のエラー数より多い場合、このアドレスのセクタＳＣをエラーセクタＳＣｒとして判断することができる。
【００７８】
また制御部１１は、例えばあるセクタＳＣの直前のセクタＳＣまで再生できていた時に、次のセクタＳＣであるはずの再生タイミングで十分な再生信号が得られず何も再生できなかった場合、この直前のセクタＳＣのアドレスに続くアドレスのセクタＳＣをエラーセクタＳＣｒとして判断することができる。
【００７９】
続いて制御部１１は、対応正常データの排他的論理和を算出することにより、エラーセクタＳＣｒのユーザデータを復元する。
【００８０】
例えば制御部１１は、第２記録領域Ｒ２の０ｘＢＢＦ７０番地（図５）のセクタＳＣを再生した後に、これに続く０ｘＢＢＦ７１番地のセクタＳＣからユーザデータを正しく読み出せず、当該セクタＳＣがエラーセクタＳＣｒであったとする。このとき制御部１１は、エラーセクタＳＣｒと対応する第１記録領域Ｒ１の０ｘ３０００１番地、第３記録領域Ｒ３の０ｘ１４７ＥＥ１番地及び第４記録領域Ｒ４の０ｘ１Ｄ３Ｅ５１番地の各セクタＳＣからユーザデータ又はパリティデータをそれぞれ読み出して対応正常データとする。
【００８１】
続いて制御部１１は、対応正常データの排他的論理和を算出することにより、エラーセクタＳＣｒである第２記録領域Ｒ２の０ｘＢＢＦ７１番地のユーザデータを復元する。
【００８２】
このように制御部１１は、対応正常データの排他的論理和を算出してエラーセクタＳＣｒのユーザデータを復元することにより、当該ユーザデータの読み出し性能を向上させるようになされている。以下、このようにしてデータＤＴを再生することをセクタ復元処理と呼ぶ。
【００８３】
セクタ復元処理においては、セクタＳＣごとのエラー訂正処理とは異なり、対応正常データが記録されている各セクタの記録半径位置はそれぞれ離れた記録領域の中にある。
【００８４】
従って制御部１１は、ディフェクトがある半径位置に集中していた場合、セクタＳＣごとのエラー訂正処理については失敗する可能性が高いものの、セクタ復元処理については成功させ得る可能性が高い。すなわち制御部１１は、セクタ復元処理を用いることで、より高い確率で正しいデータを読み出すことができる。
【００８５】
しかしながら制御部１１では、第１記録領域Ｒ１〜第４記録領域Ｒ４の互いに対応したセクタＳＣのうち、エラーセクタＳＣｒが２以上であった場合、このセクタ復元処理を正しく行うことができない。
【００８６】
そこで制御部１１は、エラーセクタＳＣｒが２以上でありセクタ復元処理を正しく行い得なかった場合、再生処理を中断し、表示装置４に所定のメッセージ表示画面を表示する等して、ユーザに光ディスク１００のクリーニングを促すようになされている。
【００８７】
これは、エラーが生じたもののセクタ復元処理を行い得なかった原因が異物の付着等によるものであった場合、光ディスク１００のクリーニング処理により、当該エラーが生じなくなり又はエラー訂正可能となり、データＤＴを正常に再生できるようになる可能性があるからである。
【００８８】
例えば、光ディスク１００の表面に対する傷など修復し難いディフェクトがある光ディスク媒体においては、同時に当該光ディスクの表面に埃や指紋などの汚れが付着していることが多い。そこで制御部１１は、拭き取り可能な汚れに関しては、ユーザに拭き取り作業などのクリーニング処理を促すことで、当該光ディスク１００からデータＤＴを正常に再生できるようになる可能性がある。
【００８９】
一方、光ディスク１００は、ユーザに取り扱われるうちにディフェクトが増加する可能性がある。特に傷が増加した場合には、クリーニング処理等では修復することが困難である。
【００９０】
例えば、上述したようにユーザに拭き取り作業などのクリーニング処理を促した光ディスク１００においては、クリーニング処理がされたとしても傷が修復されていないことがある。従ってクリーニング処理後に再び汚れが付着すれば、制御部１１では、当該光ディスク１００の再生時にエラーが生じる可能性が高い。
【００９１】
さらには、クリーニング処理により制御部１１が光ディスク１００を一時的に再生できたとしても、その後に当該光ディスク１００に追加の傷が生じた場合には、２回目以降のクリーニング処理等が行われたとしても当該傷については修復できない可能性が高い。
【００９２】
すなわち制御部１１は、あるときにエラー訂正処理又はセクタ復元処理を行った上で光ディスク１００から映像信号ＳＶを再生できたとしても、次に当該光ディスク１００を再生する場合に、同様のエラー訂正処理又はセクタ復元処理ではエラーを訂正できずに映像信号ＳＶを再生できないおそれがある。
【００９３】
そこで制御部１１は、エラー訂正処理又はセクタ復元処理を行った上でデータを再生した場合、当該光ディスクの複製（バックアップ）を作成することをユーザに促すようになされている。
【００９４】
具体的に制御部１１は、表示処理部１９を介して図６に示すようなメニュー画面ＤＭＮを表示装置４に表示させ、光ディスク１００の複製を作成するか否かをユーザに指示させる。
【００９５】
因みにメニュー画面ＤＭＮは、いわゆるＧＵＩ（Graphical User Interface）画面でなり、画面内にボタンＢ１及びＢ２が配置されている。ボタンＢ１は、光ディスク１００の複製の作成指示を受け付けるためのボタンであり、ボタンＢ２は当該複製を作成しない指示を受け付けるためのボタンである。
【００９６】
制御部１１は、ユーザの操作によりボタンＢ１の選択操作を受け付けると、ＲＯＭ２３からディスク複製プログラムを読み出して実行することにより、ディスク複製処理を開始する。
【００９７】
制御部１１は、ディスク複製処理として、光ディスク１００からデータＤＴを順次読み出し、記憶部１４に格納していく。ここで制御部１１は、読み出したデータＤＴにエラーが生じた場合、信号処理部１３によりエラー訂正処理又はセクタ復元処理を行わせて正しいデータＤＴを生成する。
【００９８】
また制御部１１は、光ディスク１００が「安心ディスク」であった場合、ユーザデータが記録された第１記録領域Ｒ１〜第３記録領域Ｒ３（図３）のみでなく、パリティデータが記録された第４記録領域Ｒ４からもデータＤＴを読み出して記憶部１４に格納する。
【００９９】
制御部１１は、光ディスク１００から全てのデータＤＴを読み出して記憶部１４に記憶し終えると、所定のメッセージを表示装置４に表示する等して、ユーザに新たな光ディスク１００を装填させる。
【０１００】
その後制御部１１は、記憶部１４に格納したデータＤＴを新たな光ディスク１００に順次記録することにより、光ディスク１００の複製処理を完了する。以下、このように作成された光ディスク１００を複製ディスク１００Ｂと呼ぶ。
【０１０１】
このように光ディスク再生装置２は、光ディスク１００からデータＤＴを読み出した際のエラー発生状況をユーザに通知することにより、ディスク複製処理の必要性を認識させると共に、ユーザの操作指示を１回受け付けるだけで複製ディスク１００Ｂを作成し得るようになされている。
【０１０２】
（１−４−３）光ディスク再生処理
次に、制御部１１が光ディスクの再生処理及び光ディスクの複製処理を行う際の処理手順について、図７に示すフローチャートを用いて説明する。
【０１０３】
制御部１１は、ユーザから操作部２Ｃを介した再生指示を受け付けると、光ディスク再生処理手順ＲＴ１を開始し、ステップＳＰ１へ移る。ステップＳＰ１において制御部１１は、光ディスク１００からのデータＤＴの読み出しを開始し、次のステップＳＰ２へ移る。
【０１０４】
ステップＳＰ２において制御部１１は、光ディスク１００からデータＤＴを読み出した際にエラー訂正処理により訂正し得ないエラー（すなわち訂正不可エラーデータ）があったか否かを判定する。ここで肯定結果が得られると、制御部１１は次のステップＳＰ３へ移る。
【０１０５】
なお本発明においては、エラー訂正処理により訂正し得ないエラーがあることとは、再生信号の読取に成功した上でエラー訂正処理によって所定の数以上のエラー数を検出した場合、或いは所定の時間以内に再生信号の読取に失敗して十分なデータを読み込めなかった場合等のことを示す。
【０１０６】
ステップＳＰ３において制御部１１は、表示装置４に所定のメッセージ表示画面を表示する等の処理を行って光ディスク１００のクリーニングをユーザに促し、次のステップＳＰ４へ移る。
【０１０７】
ステップＳＰ４において制御部１１は、光ディスク１００から再度データＤＴを読み出し、このときエラー訂正処理により訂正し得ないエラーが生じたか否かを判定する。ここで肯定結果が得られると、制御部１１は次のステップＳＰ５へ移る。
【０１０８】
ステップＳＰ５において制御部１１は、当該エラーがセクタ復元処理によって訂正可能であるか否かを判定する。ここで肯定結果が得られると、このことは次回の再生時に訂正不可能となるおそれがあることを表しており、このとき制御部１１は次のステップＳＰ６へ移る。
【０１０９】
ステップＳＰ６において制御部１１は、表示装置４にメニュー画面ＤＭＮ（図６）を表示することにより、ユーザにエラーの発生状況を伝えると共に複製ディスク１００Ｂを作成するか否かを確認し、次のステップＳＰ７へ移る。
【０１１０】
ステップＳＰ７において制御部１１は、複製ディスク１００Ｂの作成指示を受け付けたか否かを判定する。ここで肯定結果が得られると、このことはユーザによりボタンＢ１が操作されたことを表しており、このとき制御部１１は次のステップＳＰ８へ移る。
【０１１１】
ステップＳＰ８において制御部１１は、光ディスク１００からデータＤＴを読み出しエラー訂正処理及びセクタ復元処理を施した上で、訂正復元されたデータＤＴを記憶部１４に蓄積した後、新たな光ディスク１００に当該データＤＴを記録することにより複製ディスク１００Ｂを作成し、次のステップＳＰ９へ移る。
【０１１２】
また制御部１１は、ステップＳＰ２で否定結果が得られた場合、ステップＳＰ４で否定結果が得られた場合、及びステップＳＰ７で否定結果が得られた場合、いずれも複製ディスク１００Ｂを作成する必要がないため、ステップＳＰ９へ移る。
【０１１３】
ステップＳＰ９において制御部１１は、光ディスク１００又は複製ディスク１００Ｂから読み出したデータＤＴを基に映像信号ＳＶを生成し、これを順次表示装置４へ供給することにより当該光ディスク１００の再生を行い、その後ステップＳＰ１０へ移って光ディスク再生処理手順ＲＴ１を終了する。
【０１１４】
因みにステップＳＰ５において否定結果が得られた場合、このことはデータＤＴを訂正できないことから映像信号ＳＶを生成し得ないことを表しており、このとき制御部１１は映像信号ＳＶの再生処理を行わずステップＳＰ１０へ移って光ディスク再生処理手順ＲＴ１を終了する。
【０１１５】
このとき制御部１１は、必要に応じて、ステップＳＰ５からステップＳＰ１０へ移る間に「傷あるいは汚れでディスクが読めない部分があり、エラー訂正処理によっても再生できませんでした。」旨の情報通知画面を表示画面４Ｄ等に表示する処理（図示せず）を行うようにしても良い。
【０１１６】
（１−５）動作及び効果
以上の構成において、光ディスク装置２の制御部１１は、光ディスク１００を再生する際、読み出したデータＤＴにエラーが生じていれば、エラー訂正処理を行うことにより当該エラーの訂正を試みる。
【０１１７】
また制御部１１は、光ディスク１００が「安心ディスク」であった場合、エラー訂正処理によっても訂正できなかったエラーがあった場合、パリティ復元処理を行い当該エラーが生じたセクタＳＣのデータＤＴを生成することにより当該エラーの訂正を試みる。
【０１１８】
ここで制御部１１は、パリティ復元処理によりデータＤＴを生成し得た場合、光ディスク１００の複製の作成をユーザに促し、当該ユーザの指示に応じて複製ディスク１００Ｂを作成する。
【０１１９】
従って光ディスク装置２は、光ディスク１００にある程度ディフェクトがあり再生時にエラーが生じる場合であっても、エラー訂正処理又はセクタ復元処理により当該エラーを訂正可能なうちに、当該光ディスク１００の複製として複製ディスク１００Ｂを作成することができる。
【０１２０】
これにより光ディスク装置２は、光ディスク１００にディフェクトが増加し再生不可能となってしまう前の段階で、ディフェクトがない新たな光ディスク１００にデータＤＴを正しい冗長符号やパリティデータと共に複製ディスク１００Ｂに記録しておくことができる。この結果、光ディスク装置２は、当該データＤＴを完全に再生できなくなってしまう事態を未然に回避することができる。
【０１２１】
ところで一般の光ディスク装置は、最終的にデータＤＴ又は映像信号ＳＶを生成し得れば良いとされることが多い。このため光ディスク装置は、光ディスク１００から読み出したデータＤＴにエラーが生じた場合でも、エラー訂正処理により訂正できた場合には、訂正したデータＤＴをそのまま用いるのみであり、エラー訂正を行った事実や今後再生不可能となる危険性については何らユーザに通知しないことが一般的である。
【０１２２】
これに対し本発明の光ディスク装置２は、セクタ復元処理を行った場合には、メニュー画面ＤＭＮを表示することにより少なくとも今後再生不可能となる恐れがあること、好ましくは複製ディスク１００Ｂを作成しておくべきであることをユーザに認識させることができる。
【０１２３】
さらに光ディスク装置２は、当該メニュー画面ＤＭＮにおいて複製ディスク１００Ｂの作成を積極的にユーザに促すことにより、当該ユーザに別途ディスク複製作業を行わせることなく、光ディスク１００に記録されているデータＤＴを保存することができる。
【０１２４】
また光ディスク装置２は、エラーが生じたデータＤＴについては、エラー訂正処理及びパリティ復元処理により当該エラーを訂正した上で複製ディスク１００Ｂを作成する。このため光ディスク装置２は、当該複製ディスク１００Ｂの冗長性を元の光ディスク１００と同等に高めることができる。
【０１２５】
以上の構成によれば、光ディスク装置２の制御部１１は、光ディスク１００から読み出したデータＤＴにエラーが生じていればエラー訂正処理を行い、光ディスク１００が「安心ディスク」であった場合、必要に応じてパリティ復元処理を行うことにより当該エラーの訂正を試みる。さらに制御部１１は、パリティ復元処理によりデータＤＴを生成した場合、光ディスク１００の複製の作成をユーザに促し、当該ユーザの指示に応じて複製ディスク１００Ｂを作成する。これにより光ディスク装置２は、光ディスク１００の再生時にエラーが生じる場合であっても、エラー訂正処理又はセクタ復元処理により当該エラーを訂正可能なうちに、当該光ディスク１００の複製として複製ディスク１００Ｂを作成することができる。
【０１２６】
（２）第２の実施の形態
（２−１）コンピュータ装置の構成
第２の実施の形態では、図８に示す情報処理装置としてのコンピュータ装置４０により、上述した光ディスク再生処理を行うようになされている。
【０１２７】
コンピュータ装置４０は、一般的なノートブック型コンピュータ装置と同様に構成されており、筐体部４１内に後述するＣＰＵやハードディスクドライブ等が内蔵されると共に、例えば液晶パネル等でなる表示パネル４３や、キーボード及びタッチパッド等でなる操作部４４が設けられている。
【０１２８】
またコンピュータ装置４０は、上述した光ディスク再生装置２と一部類似した構成でなる光ディスクドライブ４２が搭載されており、光ディスク１００に対し映像データ、音声データ或いは各種ファイル等の情報を記録し、また当該光ディスク１００から当該情報を再生し得るようになされている。
【０１２９】
コンピュータ装置４０は、図９に示すように、ＣＰＵ５１を中心に構成されている。ＣＰＵ５１は、バス５２を介してＲＯＭ５３及びＲＡＭ５４と接続されており、当該ＲＯＭ５３及びＲＡＭ５４と共に統括制御部５０を形成している。
【０１３０】
またバス５２には、光ディスクドライブ４２、ハードディスクドライブ５５及び操作部４４に加えて、表示処理部５６及び外部と通信するための通信インタフェース（I/F）５７が接続されている。
【０１３１】
因みに光ディスクドライブ４２及びハードディスクドライブ５５は、バス５２から所定のインタフェース回路（図示せず）を介して、例えばＡＴＡ（Advanced Technology Attachment）規格、ＳｅｒｉａｌＡＴＡ規格、ＳＣＳＩ（Small Computer System Interface）規格、ＵＳＢ規格（Universal Serial Bus）やＩＥＥＥ（Institute of Electrical and Electronics Engineers）１３９４規格等によって接続されている。
【０１３２】
操作部４４は、上述したキーボードやタッチパッド等を介してユーザから入力される操作指示を受け付け、当該操作指示に応じた操作信号生成し、これをバス５２経由でＣＰＵ５１へ送出する。
【０１３３】
表示処理部５６は、ＣＰＵ５１からの表示命令等に従い所定の映像信号を生成し、これを当該表示パネル４３へ供給することにより、当該映像信号に応じた表示画面、すなわちＣＰＵ５１からの表示命令等に従った表示画面を当該表示パネル４３に表示させる。
【０１３４】
通信インタフェース５７は、例えばＩＥＥＥ８０２．３／ｕ／ａｂ等の有線ＬＡＮ（Local Area Network）、ＩＥＥＥ８０２．１１ａ／ｂ／ｇ／ｎ等の無線ＬＡＮ、ＵＳＢ（Universal Serial Bus）やＩＥＥＥ１３９４等の有線通信といった種々の通信方式及び通信規格に準拠したものが考えられる。また通信相手としては、他のコンピュータ装置、半導体メモリやハードディスクドライブ等の各種記憶媒体、或いはインターネット等の各種ネットワークが考えられる。
【０１３５】
ＣＰＵ５１は、ＲＯＭ５３やハードディスクドライブ５５等から基本プログラム、ＯＳ（Operating System）やエラーマップ表示プログラム等の各種プログラムを読み出し、これらをＲＡＭ５４に展開する等して、当該ＯＳの起動やエラーマップ表示処理等の各種処理を実行するようになされている。
【０１３６】
（２−２）光ディスクドライブの構成
光ディスクドライブ４２は、図１０に示すように、第１の実施の形態における光ディスク装置２と一部類似した構成を有しており、制御部１１に代えて制御部６１が設けられ、操作部２Ｃ、記憶部１４及び表示処理部１９が省略されている点が異なっているものの、他は同様に構成されている。
【０１３７】
制御部６１は、制御部１１と同様にＣＰＵ、ＲＯＭ、ＲＡＭ及びインタフェース（いずれも図示せず）を有しているものの、当該制御部１１とは一部異なった動作を行うようになされている。
【０１３８】
すなわち制御部６１は、ＣＰＵ５１（図９）の制御に従い、制御部１１と同様に、指定されたアドレスのデータＤＴを光ピックアップ１７等を介して読み出させる。さらに制御部６１は、読み出したデータＤＴ及びエラー情報ＥＲをバス５２経由でＣＰＵ５１へ送出する。
【０１３９】
このように光ディスクドライブ４２は、第１の実施の形態における光ディスク再生装置２と比較して、光ディスク１００から情報（すなわちデータＤＴ）を読み出す点については同様に動作するものの、これに加えて、読み出したデータＤＴ及びエラー情報ＥＲをＣＰＵ５１へ送出する点が異なっている。
【０１４０】
（２−３）光ディスクの記録及び再生
コンピュータ装置４０の統括制御部５０は、ユーザから操作部４４を介した記録指示を受け付けると、ハードディスクドライブ５５に記憶しているデータＤＴを光ディスク１００に記録するようになされている。
【０１４１】
このときＣＰＵ５１は、ハードディスクドライブ５５から読み出したデータＤＴをバス５２経由で光ディスクドライブ４２へ供給する。例えば光ディスクドライブ４２及びハードディスクドライブ５５がＳｅｒｉａｌＡＴＡ規格で接続されている場合、ＣＰＵ５１は、ＳｅｒｉａｌＡＴＡコマンド命令により記録処理や再生処理を行う。
【０１４２】
光ディスクドライブ４２は、供給されたデータＤＴを統括制御部５０から信号処理部１３へ供給し、光ピックアップ１７の対物レンズ１８を介して光ビームを照射することにより、上述した第１の実施の形態と同様に当該データＤＴを光ディスク１００に記録する。
【０１４３】
一方統括制御部５０は、ユーザから操作部４４を介した再生指示を受け付けると、第１の実施の形態と同様、光ディスク１００からデータＤＴを読み出し、信号処理部１３によりエラー訂正処理を行った上で映像信号ＳＶを生成し、これを表示処理部５６経由で表示パネル４３へ順次供給する。
【０１４４】
具体的に統括制御部５０は、第１の実施の形態における制御部１１と同様、光ディスク１００が「安心ディスク」であった場合、光ディスク再生処理手順ＲＴ１（図７）に従った一連の処理を行う。
【０１４５】
統括制御部５０は、ユーザから操作部４４を介した再生指示を受け付けると、光ディスク再生処理手順ＲＴ１を開始し、ステップＳＰ１へ移る。ステップＳＰ１において統括制御部５０は、光ディスクドライブ４２により光ディスク１００からのデータＤＴの読み出しを開始し、次のステップＳＰ２へ移る。
【０１４６】
ステップＳＰ２において統括制御部５０は、光ディスク１００からデータＤＴを読み出した際にエラー訂正処理により訂正し得ないエラー（すなわち訂正不可エラーデータ）があったか否かを判定する。ここで肯定結果が得られると、統括制御部５０は次のステップＳＰ３へ移る。
【０１４７】
ここでコンピュータ装置４０では、例えばエラー訂正処理により訂正し得ないエラーがあったか否かを判定するための情報を光ディスクドライブ４２から統括制御部５０へ通知する通知処理についても、記録処理や再生処理と同様、ＳｅｒｉａｌＡＴＡコマンド命令によって行うことができる。
【０１４８】
ステップＳＰ３において統括制御部５０は、表示処理部５６経由で表示パネル４３に所定のメッセージ表示画面を表示する等の処理を行って光ディスク１００のクリーニングをユーザに促し、次のステップＳＰ４へ移る。
【０１４９】
ステップＳＰ４において統括制御部５０は、光ディスク１００から再度データＤＴを読み出し、このときエラー訂正処理により訂正し得ないエラーが生じたか否かを判定する。ここで肯定結果が得られると、統括制御部５０は次のステップＳＰ５へ移る。
【０１５０】
ステップＳＰ５において統括制御部５０は、当該エラーがセクタ復元処理によって訂正可能であるか否かを判定する。ここで肯定結果が得られると、このことは次回の再生時に訂正不可能となるおそれがあることを表しており、このとき統括制御部５０は次のステップＳＰ６へ移る。
【０１５１】
このステップＳＰ５で行われるセクタ復元処理についても、再生処理と同様に、当該エラーセクタＳＣｒと対応する各セクタＳＣからユーザデータ又はパリティデータをＳｅｒｉａｌＡＴＡコマンド命令によって読み出す処理を用いることができる。ここで各セクタＳＣとは、第１記録領域Ｒ１のセクタＳＣ、第２記録領域Ｒ２のセクタＳＣ、第３記録領域Ｒ３のセクタＳＣ及び又は第４記録領域Ｒ４のセクタＳＣである。
【０１５２】
ステップＳＰ６において統括制御部５０は、表示処理部５６経由で表示パネル４３にメニュー画面ＤＭＮ（図６）を表示することにより、ユーザにエラーの発生状況を伝えると共に複製ディスク１００Ｂを作成するか否かを確認し、次のステップＳＰ７へ移る。
【０１５３】
ステップＳＰ７において統括制御部５０は、複製ディスク１００Ｂの作成指示を受け付けたか否かを判定する。ここで肯定結果が得られると、このことはユーザによりボタンＢ１が操作されたことを表しており、このとき統括制御部５０は次のステップＳＰ８へ移る。
【０１５４】
ステップＳＰ８において統括制御部５０は、光ディスク１００からデータＤＴを読み出しエラー訂正処理及びセクタ復元処理を施した上で、訂正復元されたデータＤＴをＲＡＭ５４及び又はハードディスクドライブ５５に蓄積する。その後統括制御部５０は、新たな光ディスク１００に当該データＤＴを記録することにより複製ディスク１００Ｂを作成し、次のステップＳＰ９へ移る。
【０１５５】
また統括制御部５０は、ステップＳＰ２で否定結果が得られた場合、ステップＳＰ４で否定結果が得られた場合、及びステップＳＰ７で否定結果が得られた場合、いずれも複製ディスク１００Ｂを作成する必要がないため、ステップＳＰ９へ移る。
【０１５６】
ステップＳＰ９において統括制御部５０は、光ディスク１００又は複製ディスク１００Ｂから読み出したデータＤＴを基に映像信号ＳＶを生成し、これを順次表示処理部５６経由で表示パネル４３へ供給することにより当該光ディスク１００の再生を行う。その後統括制御部１０は、ステップＳＰ１０へ移って光ディスク再生処理手順ＲＴ１を終了する。
【０１５７】
因みにステップＳＰ５において否定結果が得られた場合、このことはデータＤＴを訂正できないことから映像信号ＳＶを生成し得ないことを表しており、このとき統括制御部５０は映像信号ＳＶの再生処理を行わずステップＳＰ１０へ移って光ディスク再生処理手順ＲＴ１を終了する。
【０１５８】
このとき統括制御部５０は、必要に応じて、ステップＳＰ５からステップＳＰ１０へ移る間に「傷あるいは汚れでディスクが読めない部分があり、エラー訂正処理によっても再生できませんでした。」旨の表示画面を表示パネル４３に表示する処理（図示せず）を行うようにしても良い。
【０１５９】
一方統括制御部５０は、光ディスク１００が「安心ディスク」でない場合、すなわち記録領域Ｒ（図２）全体にユーザデータが記録されている場合、ステップＳＰ２及びステップＳＰ４において、冗長符号のみでは訂正し得ないようなエラーがあったか否かを判定する。また統括制御部５０は、ステップＳＰ５において、当該エラーがブロック冗長符号を用いたエラー訂正処理によって訂正可能であるか否かを判定する。
【０１６０】
ここでコンピュータ装置４０は、エラー訂正処理により訂正し得ないエラーがあったか否かを判定するための情報を光ディスクドライブ４２から統括制御部５０に通知する処理についても、例えば記録処理や再生処理と同様にＳｅｒｉａｌＡＴＡコマンド命令によって行うようにすることができる。
【０１６１】
さらに統括制御部５０は、ステップＳＰ８において、記憶部１４に代えてハードディスクドライブ５５にデータＤＴを蓄積した後、当該ハードディスクドライブ５５から当該データＤＴを読み出して新たな光ディスク１００に記録するようになされている。
【０１６２】
一方統括制御部５０は、他のステップについては制御部１１と同様に処理を行うことにより、ユーザの指示に応じて複製ディスク１００Ｂを作成し、データＤＴを基に映像信号ＳＶを生成するようになされている。
【０１６３】
このように統括制御部５０は、光ディスク１００が「安心ディスク」でない場合、エラーが生じ、且つ当該エラーをエラー訂正処理によって訂正できた場合に、複製ディスク１００Ｂの作成をユーザに促すようになされている。
【０１６４】
（２−４）動作及び効果
以上の構成においてコンピュータ装置４０の統括制御部５０は、第１の実施の形態における制御部１１と同様、光ディスク１００を再生する際、読み出したデータＤＴにエラーが生じていれば、冗長符号を用いたエラー訂正処理を行うことにより当該エラーの訂正を試みる。
【０１６５】
さらに統括制御部５０は、ブロック冗長符号を用いたエラー訂正処理によりエラーを訂正できた場合、光ディスク１００の複製の作成をユーザに促し、当該ユーザの指示に応じて複製ディスク１００Ｂを作成する。
【０１６６】
従ってコンピュータ装置４０は、光ディスク１００にある程度ディフェクトがあり再生時にエラーが生じる場合であっても、エラー訂正処理により当該エラーを訂正可能なうちに、当該光ディスク１００の複製として複製ディスク１００Ｂを作成することができる。
【０１６７】
これによりコンピュータ装置４０は、第１の実施の形態における光ディスク装置２と同様、光ディスク１００にディフェクトが増加し再生不可能となってしまう前の段階で、ディフェクトがない新たな光ディスク１００にデータＤＴを複製ディスク１００Ｂに記録しておくことができる。この結果、コンピュータ装置４０は、データＤＴを完全に再生できなくなってしまう事態を未然に回避することができる。
【０１６８】
その他、コンピュータ装置４０は、第１の実施の形態における光ディスク装置２と同様の作用効果を奏し得る。
【０１６９】
以上の構成によれば、コンピュータ装置４０の統括制御部５０は、光ディスク１００から読み出したデータＤＴにエラーが生じていればエラー訂正処理を行うことにより当該エラーの訂正を試みる。さらに統括制御部５０は、エラー訂正可能であった場合、光ディスク１００の複製の作成をユーザに促し、当該ユーザの指示に応じて複製ディスク１００Ｂを作成する。これにより光ディスク装置２は、光ディスク１００の再生時にエラーが生じる場合であっても、エラー訂正処理により当該エラーを訂正可能なうちに、当該光ディスク１００の複製として複製ディスク１００Ｂを作成することができる。
【０１７０】
（３）他の実施の形態
なお上述した第１の実施の形態においては、光ディスク１００が「安心ディスク」であった場合、エラー訂正処理のみでは訂正しきれず、セクタ復元処理により訂正できるエラーがあった場合にディスク復元処理を行うようにした場合について述べた。また第２の実施の形態では、光ディスク１００が「安心ディスク」でなかった場合、冗長符号のみでは訂正しきれず、且つブロック冗長符号を用いて訂正できるエラーがあった場合にディスク復元処理を行うようにした。
【０１７１】
しかしながら本発明はこれに限らず、例えば所定数のセクタＳＣ内で所定数以上の符号にエラーが生じた場合にディスク復元処理を行う等、エラーに関する種々の条件に応じてディスク復元処理を行うか否かを判定するようにしても良い。この場合、発生するエラーの上限としては、少なくとも当該エラーを訂正し得れば良い。
【０１７２】
また上述した実施の形態においては、「安心ディスク」でなる光ディスク１００において、記録領域Ｒ（図２）を４分割し、そのうち１つにパリティデータを格納するようにした場合について述べた。
【０１７３】
しかしながら本発明はこれに限らず、例えば３以上の領域に分割すると共に１以上の領域にパリティデータを格納するようにしても良い。或いは、２つの領域に分割し、一方の領域にユーザデータを格納すると共に他方の領域に同一のデータをバックアップデータとして格納する、いわゆるミラーリング記録を行うようにしても良い。この構成の場合、セクタ復元処理を行う際には、バックアップデータをそのままユーザデータに置き換えれば良い。
【０１７４】
さらに上述した第１の実施の形態においては、光ディスク１００における第１記録領域Ｒ１〜第３記録領域Ｒ３の各セクタＳＣに記録するユーザデータの排他的論理和を算出することにより第４記録領域Ｒ４のセクタＳＣに記録するパリティデータを生成するようにした場合について述べた。
【０１７５】
しかしながら本発明はこれに限らず、種々の演算手法により算出したデータを第４記録領域Ｒ４のセクタＳＣに記録するようにしても良い。この場合、第４記録領域Ｒ４のセクタＳＣに記録するデータを用いることにより、対応する他の記録領域のセクタＳＣのうち少なくとも１以上について、エラーの有無及びエラーの訂正を行い得るものであれば良い。
【０１７６】
さらに上述した実施の形態においては、光ディスク１００からデータを再生する再生指示を受け付けた場合に、エラーの発生状況に応じてディスク複製処理を行うようにした場合について述べた。
【０１７７】
しかしながら本発明はこれに限らず、例えば所定の「エラーディスク複製命令」を受け付けた場合や、他の処理を行っている途中で、再生処理を行うことなく、光ディスク１００におけるエラーの発生状況を確認し、必要な場合にディスク複製処理をユーザに促し実行するようにしても良い。
【０１７８】
さらに上述した第１の実施の形態においては、光ディスク再生処理手順ＲＴ１（図７）のステップＳＰ８において、ディスク複製処理を行った後にステップＳＰ９においてデータＤＴの再生を行うようにした場合について述べた。
【０１７９】
しかしながら本発明はこれに限らず、例えばステップＳＰ１の次にステップＳＰ９へ移ってデータＤＴの再生を行い、その後ステップＳＰ２〜ステップＳＰ８の処理を行うことによりディスク複製処理を行うようにしても良い。
【０１８０】
このとき、ステップＳＰ１でデータの読み出しを開始し、ステップＳＰ２で訂正不可エラーデータがあった場合でも、この再生時点でセクタ復元処理を行うようにしても良い。そして、セクタ復元処理に成功した時は、光ディスク１００からの再生処理を継続して、ステップＳＰ９でのデータ再生を開始する。
【０１８１】
この実施の形態においては、ユーザ指示による再生処理が終了した時点、すなわち、ＳＰ９が終了した時点で、その後ステップＳＰ２〜ステップＳＰ８を行う。この場合、前述の再生時点の間に訂正不可エラーデータがあったか否かをフラグとして記憶しておき、再生処理が終了した時点でフラグに応じた処理、すなわち、フラグを用いてステップＳＰ２での判定処理を行うようにしても良い。
【０１８２】
さらに上述した実施の形態においては、光ディスク再生処理手順ＲＴ１（図７）のステップＳＰ２及びステップＳＰ３において、エラー訂正処理等により訂正できないエラーが生じた場合、一度クリーニングをユーザに促すようにした場合について述べた。
【０１８３】
しかしながら本発明はこれに限らず、例えばエラー訂正処理等により訂正できないエラーが生じた場合、クリーニングをユーザに促すことなく、直ちに複製ディスクを作成するかユーザに確認するようにしても良い。
【０１８４】
さらに上述した実施の形態においては、光ディスク再生処理手順ＲＴ１（図７）のステップＳＰ６及びステップＳＰ７において、メニュー画面ＤＭＮ（図６）を表示して複製ディスクを作成するかを否かユーザに問い合わせ、作成指示を受け付けた場合にディスク複製処理を開始するようにした場合について述べた。
【０１８５】
しかしながら本発明はこれに限らず、例えばステップＳＰ５で肯定結果が得られた際、メニュー画面ＤＭＮを表示することなく、ステップＳＰ８へ移ってディスク複製処理を開始するようにしても良い。
【０１８６】
さらに上述した第１の実施の形態においては、表示装置４にメニュー画面ＤＭＮを表示させることにより、ディスク複製処理を行うか否かをユーザに問いかけるようにした場合について述べた。
【０１８７】
しかしながら本発明はこれに限らず、例えば光ディスク装置２に設けられている表示部２Ｄに「Disk Copy?」等のメッセージを表示し、或いは予め定めたメッセージコード（数字等）を表示し、或いはＬＥＤ（Light Emitting Diode）等の発光素子を点滅等させ、さらには音声メッセージを再生する等しても良い。いずれの場合にしても、要はユーザの視覚或いは聴覚等を通じてディスク複製処理を開始するか否かの問いかけを行い得れば良い。第２の実施の形態についても同様である。
【０１８８】
さらに上述した第１の実施の形態においては、光ディスク再生処理手順ＲＴ１（図７）のステップＳＰ８において、光ディスク１００から改めてデータＤＴを順次読み出して記憶部１４に記憶させるようにした場合について述べた。
【０１８９】
しかしながら本発明はこれに限らず、例えばステップＳＰ１等において読み出し、必要に応じてエラー訂正処理等を行ったデータＤＴを順次記憶部１４に記憶させておき、ステップＳＰ８では記憶部１４に既に記憶されているデータＤＴを新たな光ディスク１００へ記録するようにしても良い。これによりディスク複製処理に要する時間を大幅に短縮し得る。第２の実施の形態についても同様である。
【０１９０】
さらに上述した第２の実施の形態においては、エラー訂正処理を光ディスクドライブ４２の信号処理部１３により行うようにした場合について述べた。しかしながら本発明はこれに限らず、例えば当該エラー訂正処理を統括制御部５０により行うようにしても良い。
【０１９１】
さらに上述した第２の実施の形態においては、ディスク複製処理において、光ディスク１００のデータＤＴを一度ハードディスクドライブ５５に記憶させてから、当該ハードディスクドライブ５５から読み出したデータＤＴを新たな光ディスク１００に記録するようにした場合について述べた。
【０１９２】
しかしながら本発明はこれに限らず、例えばコンピュータ装置４０に２台の光ディスクドライブが接続されている場合に、一方の光ディスクドライブに光ディスク１００を装填してデータＤＴを読み出すと共にエラー訂正処理を行い、他方の光ディスクドライブに新たな光ディスク１００を装填して当該データＤＴを順次記録する等しても良い。この場合、光ディスクドライブはコンピュータ装置４０に内蔵している必要はなく、例えばＵＳＢインタフェースを介して接続された、いわゆる外付型光ディスクドライブを用いても良い。
【０１９３】
さらに上述した実施の形態においては、光ディスク１００のトラックが螺旋状に形成されている場合について述べたが、本発明はこれに限らず、例えば同心円状に形成されていても良い。
【０１９４】
さらに上述した実施の形態においては、光ディスク１００がＤＶＤ方式に準拠したものである場合について述べたが、本発明はこれに限らず、当該光ディスク１００がＣＤ方式やＢＤ方式等の他の方式に準拠したものであっても良い。またデータＤＴを記録する記録層の数は１層に限らず、２層以上であっても良い。
【０１９５】
またデータＤＴが格納されている光ディスク１００としては、読み出し専用型（いわゆるＲＯＭ型）、追記型（いわゆるＲ(Recordable)型）、或いは書き換え型（いわゆるＲＷ(ReWritable)型又はＲＥ型）のいずれであっても良い。
【０１９６】
さらに上述した第１の実施の形態においては、光ディスク装置２が光ディスク１００から映像を再生するようにした場合について述べた。
【０１９７】
しかしながら本発明はこれに限らず、例えば光ディスク装置２がいわゆるＣＤプレーヤのように音声のみを再生するようにし、或いは第２の実施の形態における光ディスクドライブ４２のようにコンピュータ用の各種データを再生し、これを外部のコンピュータ装置等へ送出するようにしても良い。
【０１９８】
さらには、光ディスク１００に代えて、光磁気ディスクや磁気ディスク等、光学的、磁気的又はその両方、或いは他の手法により情報が記録され、また再生される１枚のディスク状の記録媒体を用いるようにしても良い。
【０１９９】
この場合、光ディスク装置２及び光ディスクドライブ４２の光ピックアップ１７に代えて、当該ディスク状の記録媒体に対応した情報書込・読出機能を有するピックアップ機構又はヘッド機構が設けられていれば良い。
【０２００】
さらに上述した第１の実施の形態においては、光ディスク再生プログラムやディスク複製プログラム等の各種プログラムをＲＯＭ２３に格納しておくようにした場合について述べた。
【０２０１】
しかしながら本発明はこれに限らず、各種プログラムを所定のＤＶＤ−ＲＯＭメディアから読み出し記憶部１４等にインストールして実行し、或いは図示しないメモリースティック（ソニー株式会社の登録商標）等のような着脱自在の記憶媒体から読み出して直接実行する等しても良い。さらには、通信インタフェース５７を介し各種プログラムを取得して実行するようにしても良い。第２の実施の形態についても同様である。この場合、各種プログラムの格納場所としてはハードディスクドライブ５５を用いることができる。
【０２０２】
さらに上述した第１の実施の形態においては、光ディスク１００を「安心ディスク」とする場合、事前準備としてデータＤＴを光ディスク１００におけるユーザデータ領域の各セクタＳＣに割り当てるものとし、ユーザデータ領域の内部構造については、特に詳述しなかった。
【０２０３】
しかしながら、ユーザデータ領域の内部構造については、必ずしも「安心ディスク」専用のデータ構造を決める必要は無い。当該内部構造としては、例えばＩＳＯ９６６０規格やＵＤＦ規格（ＩＳＯ／ＩＥＣ１３３４６、ＥＣＭＡ−１６７）によるファイルシステム構造を成していることが望ましい。
【０２０４】
この場合、ＵＤＦ規格などのファイルシステム構造のデータでユーザデータ領域を埋めた後、各記録領域Ｒｎに対して定めたセクタ数を満たすまで「００」などの値を有するユーザデータを埋める処理（パディング処理）を行う。さらに、ユーザデータ領域の最後（例えば第３記録領域Ｒ３の最後）までデータを埋める。そして、第４記録領域Ｒ４に、ユーザデータ領域に対するパリティデータ領域を形成する。
【０２０５】
このようにすることで、本発明による「安心ディスク」機能に対応していない光ディスク再生システムまたは光ディスク装置またはコンピュータ装置が、本発明による「安心ディスク」機能に対応した光ディスク１００を読み出したとしても、ＵＤＦ規格などのファイルシステム構造を読み出すことができる。このため、「安心ディスク」機能に対応した光ディスク１００は上記既存の装置での読み出しに悪影響を与えない。
【０２０６】
また本発明では、光ディスク再生システム、光ディスク装置又はコンピュータ装置において、本発明による「安心ディスク」機能に対応した光ディスク１００を記録再生するにあたり、ファイルシステム構造を記録再生する内部構造については、従来の構成を大きく変更する必要が無い。追加変更する処理としては、ファイルシステム構造のデータを生成した後に、パリティデータ領域を生成する処理となる。
【０２０７】
本変形例によれば、上記既存の装置との再生互換性を取ることができる。また、上記既存の装置を基に本発明による「安心ディスク」機能に対応した装置を製作する場合であっても、ハードウエアや制御アルゴリズムなどの構成を大きく変える必要が無い。これにより、本発明を容易に低コストで実現することができる。
【０２０８】
さらに上述した第１の実施の形態においては、データ読出部としての光ピックアップ１７と、訂正処理部としての信号処理部１３と、複製処理部としての制御部１１とによって光ディスク装置としての光ディスク装置２を構成する場合について述べた。しかしながら本発明はこれに限らず、その他種々の回路構成でなるデータ読出部と、訂正処理部と、複製処理部とによって光ディスク装置を構成するようにしても良い。
【０２０９】
さらに上述した第２実施の形態においては、読出制御部としての統括制御部５０と、訂正処理部としての信号処理部１３と、複製制御部としての統括制御部５０とによって光ディスク複製制御装置としてのコンピュータ装置４０を構成する場合について述べた。しかしながら本発明はこれに限らず、その他種々の回路構成でなる読出制御部と、訂正処理部と、複製制御部とによって光ディスク複製制御装置を構成するようにしても良い。
【産業上の利用可能性】
【０２１０】
本発明は、種々の光ディスクの記録及び再生を行う光ディスク装置でも利用できる。
【図面の簡単な説明】
【０２１１】
【図１】光ディスク再生システムの全体構成を示す略線図である。
【図２】光ディスクの記録領域を示す略線図である。
【図３】記録領域の分割の説明に供する略線図である。
【図４】光ディスク再生装置の構成を示す略線的ブロック図である。
【図５】セクタの対応及びパリティデータの生成を示す略線図である。
【図６】メニュー画面の構成を示す略線図である。
【図７】光ディスク再生処理手順を示すフローチャートである。
【図８】コンピュータ装置の外観構成を示す略線図である。
【図９】コンピュータ装置の内部構成を示す略線的ブロック図である。
【図１０】光ディスクドライブの構成を示す略線図である。
【符号の説明】
【０２１２】
１……光ディスク再生システム、２……光ディスク装置、４……表示装置、４Ｄ……表示画面、１１……制御部、１２……駆動部、１３……信号処理部、１４……記憶部、１７……光ピックアップ、１９……表示処理部、２１……ＣＰＵ、２３……ＲＯＭ、２４……ＲＡＭ、４０……コンピュータ装置、４２……光ディスクドライブ、４３……表示パネル、５０……統括制御部、５１……ＣＰＵ、５３……ＲＯＭ、５４……ＲＡＭ、５５……ハードディスクドライブ、５６……表示処理部、１００……光ディスク、１００Ａ……照射面、Ｒ……記録領域、Ｒ１……第１記録領域、Ｒ２……第２記録領域、Ｒ３……第３記録領域、Ｒ４……第４記録領域、ＳＣ……セクタ、Ｔ……トラック、ＤＴ……データ、ＥＲ……エラー情報、ＤＭＮ……メニュー画面。
【図１】
2009289319.tif 000003
【図２】
2009289319.tif 000004
【図３】
2009289319.tif 000005
【図４】
2009289319.tif 000006
【図５】
2009289319.tif 000007
【図６】
2009289319.tif 000008
【図７】
2009289319.tif 000009
【図８】
2009289319.tif 000010
【図９】
2009289319.tif 000011
【図１０】
2009289319.tif 000012